(57)【特許請求の範囲】
【請求項１】
空調装置を内蔵するキャブと該キャブの後方に配設された機器収容室とを備え、該キャブの片側壁にはフィルタが装着された外気導入口が形成されていると共に該外気導入口を覆うカバー部材が配設されている建設機械において、
該カバー部材は、幅方向に間隔をおいて配置された内側板及び外側板、並びに該内側板の外周縁と該外側板の外周縁とを接続する接続板から中空状に形成され、且つ該機器収容室内に連通する入口から該外気導入口に対向する出口まで延在する外気導入路を規定しており、
該内側板は該キャブの後端を超えて後方に延出し、該外側板は該内側板の後端を超えて後方に延出し、該内側板の後端部と該外側板の後端部との間に該入口が規定されており、
該機器収容室内から該外気導入路及び該フィルタを介して該空調装置に外気が導入される、ことを特徴とする建設機械。
【請求項２】
空調装置を内蔵するキャブと該キャブの後方に配設された機器収容室とを備え、該キャブの片側壁にはフィルタが装着された外気導入口が形成されていると共に該外気導入口を覆うカバー部材が配設されている建設機械において、
該カバー部材は、幅方向に間隔をおいて配置された内側板及び外側板、並びに該内側板の外周縁と該外側板の外周縁とを接続する接続板から中空状に形成され、且つ該機器収容室内に連通する入口から該外気導入口に対向する出口まで延在する外気導入路を規定しており、
該カバー部材の前端部は該外気導入口を超えて前方に延在し、該内側板の前端側には該外気導入口に対向する開口が形成され、該開口によって該出口が規定されており、
該機器収容室内から該外気導入路及び該フィルタを介して該空調装置に外気が導入される、ことを特徴とする建設機械。
【請求項３】
空調装置を内蔵するキャブと該キャブの後方に配設された機器収容室とを備え、該キャブの片側壁にはフィルタが装着された外気導入口が形成されていると共に該外気導入口を覆うカバー部材が配設されている建設機械において、
該カバー部材は、該キャブの後端を超えて後方に延出するカバー板と、該外気導入口よりも前方、該外気導入口よりも上方及び該外気導入口よりも下方において該カバー板と該片側壁との間に配設された第１のシール手段と、該外気導入口の後端縁及び上端縁に沿って該カバー板と該片側壁との間に配設された第２のシール手段とから構成され、且つ該機器収容室内に連通する入口から該外気導入口に対向する出口まで延在する外気導入路を規定しており、該機器収容室内から該外気導入路及び該フィルタを介して該空調装置に外気が導入される、ことを特徴とする建設機械。
【発明の詳細な説明】
【技術分野】
【０００１】
本発明は、空調装置を内蔵するキャブとキャブの後方に配設された機器収容室とを備え、キャブの片側壁にはフィルタが装着された外気導入口が形成されていると共に外気導入口を覆うカバー部材が配設されている建設機械に関する。
【背景技術】
【０００２】
下記特許文献１には、外気をキャブ内の空調装置に取り込む外気導入部を備えた建設機械が開示されている。外気導入部は、空調装置へ導入される外気から塵芥を除去するフィルタと、フィルタの外側に対向して設けられていて外気を導入する外気導入用孔部が設けられた開閉可能なカバーと、カバーとフィルタとの間に対向して設けられた防水部材とを備えている。防水部材にはフィルタに対向する領域を外れた位置に外気を導入するための貫通孔が設けられている。又、防水部材は外気導入用孔部を通して内部に導入される外気の直線的流路に設けられている。そして、下記特許文献１に開示されている建設機械によれば、洗車時や風雨にさらされた時等に、カバーの外気導入用孔部を通して流入する水が防水部材によって遮断されるため、フィルタに直接水がかかることが防止される。
【先行技術文献】
【特許文献】
【０００３】
【特許文献１】特許第５４１５２２８号公報
【発明の概要】
【発明が解決しようとする課題】
【０００４】
しかしながら、上記特許文献１に開示されている建設機械においては、カバーの外気導入用孔部がキャブの外面に設けられていることから、粉塵の多い建設現場等では外気導入用孔部から多量の粉塵を含んだ外気が直接的に外気導入用孔部に導入されるため、フィルタの目詰まりが早期に発生してしまうおそれがある。
【０００５】
本発明は上記事実に鑑みてなされたものであり、その主たる技術的課題は、空調装置の外気導入口に装着されたフィルタへの粉塵の侵入が低減される建設機械を提供することである。
【課題を解決するための手段】
【０００６】
本発明の第１の局面によれば、上記技術的課題を解決する建設機械として、空調装置を内蔵するキャブと該キャブの後方に配設された機器収容室とを備え、該キャブの片側壁にはフィルタが装着された外気導入口が形成されていると共に該外気導入口を覆うカバー部材が配設されている建設機械において、該カバー部材は、幅方向に間隔をおいて配置された内側板及び外側板、並びに該内側板の外周縁と該外側板の外周縁とを接続する接続板から中空状に形成され、且つ該機器収容室内に連通する入口から該外気導入口に対向する出口まで延在する外気導入路を規定しており、該内側板は該キャブの後端を超えて後方に延出し、該外側板は該内側板の後端を超えて後方に延出し、該内側板の後端部と該外側板の後端部との間に該入口が規定されており、該機器収容室内から該外気導入路及び該フィルタを介して該空調装置に外気が導入される、ことを特徴とする建設機械が提供される。
【０００７】
また、本発明の第２の局面によれば、空調装置を内蔵するキャブと該キャブの後方に配設された機器収容室とを備え、該キャブの片側壁にはフィルタが装着された外気導入口が形成されていると共に該外気導入口を覆うカバー部材が配設されている建設機械において、該カバー部材は、幅方向に間隔をおいて配置された内側板及び外側板、並びに該内側板の外周縁と該外側板の外周縁とを接続する接続板から中空状に形成され、且つ該機器収容室内に連通する入口から該外気導入口に対向する出口まで延在する外気導入路を規定しており、該カバー部材の前端部は該外気導入口を超えて前方に延在し、該内側板の前端側には該外気導入口に対向する開口が形成され、該開口によって該出口が規定されており、該機器収容室内から該外気導入路及び該フィルタを介して該空調装置に外気が導入される、ことを特徴とする建設機械が提供される。
さらに、本発明の第３の局面によれば、空調装置を内蔵するキャブと該キャブの後方に配設された機器収容室とを備え、該キャブの片側壁にはフィルタが装着された外気導入口が形成されていると共に該外気導入口を覆うカバー部材が配設されている建設機械において、該カバー部材は、該キャブの後端を超えて後方に延出するカバー板と、該外気導入口よりも前方、該外気導入口よりも上方及び該外気導入口よりも下方において該カバー板と該片側壁との間に配設された第１のシール手段と、該外気導入口の後端縁及び上端縁に沿って該カバー板と該片側壁との間に配設された第２のシール手段とから構成され、且つ該機器収容室内に連通する入口から該外気導入口に対向する出口まで延在する外気導入路を規定しており、該機器収容室内から該外気導入路及び該フィルタを介して該空調装置に外気が導入される、ことを特徴とする建設機械が提供される。
【発明の効果】
【０００８】
本発明によって提供される建設機械においては、カバー部材は機器収容室内に連通する入口から外気導入口に対向する出口まで延在する外気導入路を規定していることから、粉塵の多い作業現場等であっても粉塵が比較的少ない機器収容室内から外気導入路及びフィルタを介して空調装置に外気が導入されるため、フィルタへの粉塵の侵入が低減される。
【図面の簡単な説明】
【０００９】
【図１】本発明の第１の実施形態における油圧ショベルの側面図。
【図２】図１中の上部旋回体の側面図。
【図３】図２中のＡ−Ａ方向からみた断面図。
【図４】図２から化粧カバーが取り外された状態における上部旋回体の側面図。
【図５】本発明の第２の実施形態における上部旋回体の側面図。
【図６】図５中のＢ−Ｂ方向からみた断面図。
【発明を実施するための形態】
【００１０】
以下、本発明に従って構成された建設機械の第１及び第２の実施形態について、代表的な建設機械である油圧ショベルを例に挙げ、添付図面を参照しつつ詳細に説明する。
【００１１】
まず本発明に係る建設機械の第１の実施形態について説明する。図１を参照して、全体を符号２で示す油圧ショベルは、自走可能な下部走行体４と、下部走行体４上に旋回自在に搭載された上部旋回体６と、上部旋回体６に俯仰動自在に接続された作業腕装置８とから大略構成されている。油圧ショベル２は、土砂等の掘削作業時においては、作業腕装置８が俯仰動作され、上部旋回体６が下部走行体４に対し旋回動作されることによって、土砂等の掘削作業を行うことができるようになっている。
【００１２】
上部旋回体６は骨組み構造体をなす旋回フレーム１０を備えており、旋回フレーム１０上には、運転員が搭乗するキャブ１２と、エンジンやエンジンの冷却水を冷却するための熱交換器等の各種機器が収容された機器収容室１４と、作業腕装置８に対して重量バランスをとるカウンタウエイト１６等が配設されている。これらの配設箇所については、キャブ１２は旋回フレーム１０の左前側に配設され、機器収容室１４はキャブ１２の後方に配設され、カウンタウエイト１６は機器収容室１４の後方に配設されている。尚、本明細書の説明で用いられている前後方向及び幅方向は、図１中のキャブ１２内に搭乗した運転員から見た前後方向及び幅方向である。
【００１３】
図２を参照して説明する。キャブ１２は、全体として直方体状に形成され、後下側に空調装置１８が内蔵されている。キャブ１２の左側面において、前端に左前支柱２０が立設され、後端に左後支柱２２が立設され、且つ左前支柱２０と左後支柱２２との間に左中支柱２４が立設されている。左前支柱２０、左後支柱２２及び左中支柱２４は共に鋼管から形成されている。左前支柱２０と左中支柱２４との間にはドア２６が配設され、ドア２６は左中支柱２４に上下一対のヒンジ２８を介して開閉自在に支持され、キャブ１２の外方に向けて開放できるようになっている。ドア２６は、鋼材から形成された枠材２６ａと、枠材２６ａの上部に配設された上部窓ガラス２６ｂと、上部窓ガラス２６ｂの下方に配設された下部窓ガラス２６ｃとから大略構成されている。又、左中支柱２４と左後支柱２２との間には、上部に後部窓ガラス３０が配設され、後部窓ガラス３０の下方に適宜の金属材料又は樹脂材料等から形成された化粧カバー３２が配設されている。化粧カバー３２は、キャブ１２の後端を超えて後方に延出し、その後端部が幅方向内方に向かって屈曲されている。
【００１４】
図３及び図４を参照して説明する。化粧カバー３２の内側には鋼板から形成された左側壁３４が左中支柱２４及び左後支柱２２に接続されている。左側壁３４には角筒状の外気導入口３４ａが形成され、外気導入口３４ａはダクト３６によって空調装置１８に接続されている。外気導入口３４ａには、これに対応して扁平直方体状に形成されたフィルタ３８が着脱自在に装着されている。フィルタ３８は、空調装置１８へ導入される外気から塵芥を除去するものである。
【００１５】
化粧カバー３２と左側壁３４との間には、外気導入口３４ａを覆うカバー部材４０が配設されている。カバー部材４０は、機器収容室１４内に連通する入口から外気導入口３４ａに対向する出口まで延在する外気導入路を規定するものであり、これによって機器収容室１４内から外気導入路、フィルタ３８及びダクト３６を介して空調装置１８に外気が導入される。
【００１６】
カバー部材４０は、幅方向に間隔をおいて配置された内側板４２及び外側板４４、並びに内側板４２の外周縁と外側板４４の外周縁とを接続する接続板４６を有し、適宜の金属材料又は樹脂材料等から中空状に形成され、その内部が外気導入路を規定している。内側板４２はキャブ１２の後端を超えて後方に延出し、外側板４４は内側板４２の後端を超えて後方に延出している。そして、内側板４２の後端部と外側板４４の後端部との間は、キャブ１２の後端と後述する機器収容室１４の左側面カバー４８の前端との間に位置し、これによって機器収容室１４内に連通する外気導入路の入口が規定されている。又、カバー部材４０の前端部は外気導入口３４ａを超えて前方に延在し、内側板４２の前端側には外気導入口３４ａに対向する矩形状開口４２ａが形成されている。そして、この開口４２ａによって外気導入路の出口が規定されている。
【００１７】
機器収容室１４は、鋼材から形成された複数の支柱及び複数の梁からフレーム構造をなし、前面、両側面及び上面がカバー４８（左側面のみ図示されている）によって区画され、背面がカウンタウエイト１６によって区画されている。又、機器収容室１４は、キャブ１２の後方においては、キャブ１２の左後支柱２２に接続された背面板５０によって区画されている。このため、キャブ１２の後方においては機器収容室１４を区画するカバーは配設されていない。機器収容室１４は、カバー４８に形成された開口部、例えば左側面カバー４８の後部に形成された、熱交換器に導入される外気が流れる流路としての複数個の開口４８ａ、によって内部と外部とが連通している。
【００１８】
上述したとおりの、図１から図４までに示された本発明に係る建設機械の第１の実施形態の作用を説明する。第１の実施形態においては、カバー部材４０は機器収容室１４内に連通する入口から外気導入口３４ａに対向する出口まで延在する外気導入路を規定していることから、粉塵の多い作業現場等であっても粉塵が比較的少ない機器収容室１４内から外気導入路４０、フィルタ３８及びダクト３６を介して空調装置１８に外気が導入されるため、フィルタ３８への粉塵の侵入が低減される。これによってフィルタ３８の目詰まりが早期に発生することが防止される。
【００１９】
次に、図５及び図６を参照して、本発明に係る建設機械の第２の実施形態について説明する。尚、第２の実施形態では、上述した第１の実施形態と同一の構成要素に同一符号を付し、その説明を省略する。
【００２０】
後部窓ガラス３０の下方には、外気導入口３４ａを覆うカバー板５２が配設されている。カバー板５２は、キャブ１２の後端を超えて平板状に延在する平板部５２ａと、平板部５２ａの後端から幅方向内方に向かって屈曲された屈曲部５２ｂと、平板部５２ａの後端を除く外周縁から幅方向内方に向かって傾斜して延出し、次いで平板部５２ａと略平行に延在する周縁部５２ｃとを有し、適宜の金属材料又は樹脂材料等から形成されている。屈曲部５２ｂはキャブ１２の後端と左側面カバー４８の前端との間に位置しており、又、カバー板５２とキャブ１２の左側壁３４との間には、外気導入口３４ａよりも前方、外気導入口３４ａよりも上方及び外気導入口３４ａよりも下方、即ち周縁部５２ｃ、においてカバー板５２と左側壁３４との間をシールする第１のシール手段５４が配設されている。これによって機器収容室１４内に連通する外気導入路の入口が規定されている。又、カバー板５２とキャブ１２の左側壁３４との間には、外気導入口３４ａの後端縁及び上端縁に沿ってカバー板５２と左側壁３４との間をシールする第２のシール手段５６が配設されている。これにより、カバー板５２と左側壁３４との間において外気導入口３４ａに対向する出口が規定されていると共に、外気導入口の入口から出口までにおいて第２のシール手段５６を廻り込む経路が外気導入路として規定されている。第１及び第２のシール手段５４，５６は、例えばゴム等の弾性材料から形成されている。
【００２１】
上述したとおりの、図５及び図６に示された本発明に係る建設機械の第２の実施形態の作用を説明する。第２の実施形態においては、キャブ１２の後端を超えて後方に延出するカバー板５２と、外気導入口３４ａよりも前方、外気導入口３４ａよりも上方及び外気導入口３４ａよりも下方においてカバー板５２と左側壁３４との間に配設された第１のシール手段５４と、外気導入口３４ａの後端縁及び上端縁に沿ってカバー板５２と左側壁３４との間に配設された第２のシール手段５６とによって、機器収容室１４内に連通する入口から外気導入口３４ａに対向する出口まで延在する外気導入路を規定していることから、粉塵の多い作業現場等であっても粉塵が比較的少ない機器収容室１４内から外気導入路４０、フィルタ３８及びダクト３６を介して空調装置１８に外気が導入されるため、フィルタ３８への粉塵の侵入が低減される。これによってフィルタ３８の目詰まりが早期に発生することが防止される。又、第２の実施形態においては、機器収容室１４内から導入された外気中に粉塵が混入している場合でも、外気導入口３４ａの後端縁及び上端縁に沿ってカバー板５２と左側壁３４との間をシールする第２のシール手段５６が配設されていることから、外気が第２のシール手段５６を廻り込んで外気導入口３４ａに導入される際に外気から粉塵が分離されるため、フィルタ３８への粉塵の侵入が一層低減される。
【符号の説明】
【００２２】
２：油圧ショベル（建設機械）
１２：キャブ
１４：機器収容室
１８：空調装置
３４：左側壁（片側壁）
３４ａ：外気導入口
３８：フィルタ
４０：カバー部材（第１の実施形態）
４２：内側板
４４：外側板
４６：接続板
５２：カバー板（第２の実施形態）
５２ａ：平板部
５２ｂ：屈曲部
５２ｃ：周縁部
５４：第１のシール手段
５６：第２のシール手段
【図１】
0006472672.tif 000002
【図２】
0006472672.tif 000003
【図３】
0006472672.tif 000004
【図４】
0006472672.tif 000005
【図５】
0006472672.tif 000006
【図６】
0006472672.tif 000007